(57)【要約】【課題】主食材を収容する容器本体と、副食材を収容することが可能な蓋体とよりなる食材用容器において、片手で支持することが容易な蓋体から、好みの副食材を選択することができる食材用容器を提供する。【解決手段】容器本体２を閉合する蓋体５は、具材等の副食材を収容するための区画部３０が形成された蓋本体部３と、一対の扉部４０が設けられた外蓋４とを備えている。外蓋４は、蓋本体部３に対して、係合凹部３３と係合凸部４３との係合により固定されている。そして、一方の扉部４０の部分を持ちながら、他方の扉部４０を開くことにより、区画部３０から副食材を取り出すことを容易に行うことができる。【選択図】図１
2012020781.tif 000002
【特許請求の範囲】
【請求項１】
主食材を収容する容器本体と、蓋本体部と外蓋とよりなる蓋体とを備えた合成樹脂製シートよりなる食材用容器において、前記蓋本体部には、副食材を区画して収容するための区画部が形成され、前記外蓋は、一対の扉部と基体部とにより形成され、且つ、前記扉部は前記基体部に開閉可能に連結していると共に、前記基体部において前記外蓋が前記蓋本体部に固定されていることを特徴とする食材用容器。
【請求項２】
前記蓋本体部には係合凹部が形成されると共に、前記外蓋の基体部には係合凸部が形成されて、前記係合凹部と係合凸部との係合により、前記外蓋が前記蓋本体部に固定されていることを特徴とする請求項１に記載の食材用容器。
【請求項３】
前記基体部は、長方形状をなすと共に、その長辺部分にヒンジ部が形成されて、前記一対の扉部と基体部とが前記ヒンジ部を介して連結していることを特徴とする請求項１又は２に記載の食材用容器。
【請求項４】
前記係合凹部は、前記蓋本体部の天板部において、蓋本体部の中心を通る直線上の２ヶ所に形成され、また、前記係合凸部は、前記外蓋の基体部において、前記２ヶ所の係合凹部に係合可能な位置に形成されたことを特徴とする請求項２又は３に記載の食材用容器。
【請求項５】
請求項１ないし４のうちいずれか一項に記載の食材用容器において、前記容器本体に前記主食材が収容されると共に、前記蓋本体部の区画部に前記副食材が収容されたことを特徴とする食材が収容された食材用容器。
【発明の詳細な説明】
【技術分野】
【０００１】
本発明は、麺類又は米飯等の主食材を収容する容器本体と、具材、薬味、汁等の副食材を収容することが可能な蓋体とよりなる食材用容器に関する。
【背景技術】
【０００２】
近年、コンビニエンスストアやスーパーマーケット等で販売されている弁当には多彩な食材を用いたものがあり、様々な種類の弁当が手軽に食されるようになっている。これらの弁当は、プラスチックシート製容器に食材が収容され、全体がプラスチックフィルムで包装されているものがある。そして、これらの容器には、麺類や米飯等の主食材と、具材、薬味、汁等の副食材とを分けて収容するために、容器本体と中蓋と外蓋とより構成されているものがあり、中蓋に副食材が収容されている。
【０００３】
特許文献１に開示されている即席麺収納容器は、即席麺を収納する容器本体と、蓋体とを備えている。その蓋体には、凹部が形成されると共に、この凹部内には複数の凹部内空所が形成されている。そして、複数の空所には、具材入り袋、調味液入り袋、薬味入り袋等が収納されるようになっている。また、凹部の底面が、湯通しのために注入された湯から浮き上がる麺を押し沈めるようになっている。
【０００４】
特許文献２に開示されている食品用容器は、容器本体と、上蓋と、容器本体と上蓋との間に挟持されるように配置される中容器及び中皿とを備えている。この中皿は、低い周壁を備えた浅皿状に形成されると共に、仕切り板部により複数の小室が設けられている。そして、これらの小室には、煮卵、チャーシュー、メンマ等の具材が収容されるようになっている。また、更に小さく仕切られた小室には薬味が収容されるようになっている。
【先行技術文献】
【特許文献】
【０００５】
【特許文献１】特開平９−４００２９号公報
【特許文献２】特開２００５−８８９２２号公報
【発明の概要】
【発明が解決しようとする課題】
【０００６】
ところで、上記弁当を食する人達の嗜好は、益々多様化する傾向がみられる。そして、容器内に収容されている副食材の全てが主食材と共に食されるとは限らず、好きな副食材が食されて、嫌いな副食材が除かれる場合がある。
【０００７】
このため、特許文献１の容器にあっては、具材等は袋入りとなっているので、この袋内に複数種類の具材が入っている場合、その具材の中から嫌いな具材を除くことは容易ではない。このため、袋入りの具材とせずに、具材等を直に空所に収納することもできる。しかし、蓋体を片手で持つと共に、他方の手に持った箸等で、複数の空所に収容された具材の選択を行うためには、蓋体は持ちやすい形状とはなっていない。従って、蓋体をしっかり持とうとして、指を具材が直に収容されている空所に入れてしまったり、蓋体をしっかり持てなくて具材を零してしまったりすることが避けられない。
【０００８】
また、特許文献２の容器の中皿は、合成樹脂製シートが浅皿状に形成されたものであるため、具材等を収容した状態で片もちされることに十分耐えられるほどの剛性を有していない。即ち、片持ちされた中皿は姿勢の安定性に欠けることになる。このため、中皿を中容器上から取り外すに際し、中皿を左右から支えるようにすることが好ましい。ところが、その作業を両手で行うことは容易であっても、片手で行う場合は、手を広げて伸ばした複数の指先に中皿の両端部を挟むようにする必要がある。このため、手の小さな人達にとっては、片手による作業は難しい。従って、一旦、中皿をテーブル上等に移動してから、好きな具材のみを選択して容器本体内へ移すことが行われる。
【０００９】
本発明は、このような問題に着目してなされたものであり、その目的とするところは、主食材を収容する容器本体と、副食材を収容することが可能な蓋体とよりなる食材用容器において、片手で支持することが容易な蓋体から、好みの副食材を選択することができる食材用容器を提供することにある。
【課題を解決するための手段】
【００１０】
上記問題を解決するために請求項１に記載の食材用容器の発明は、主食材を収容する容器本体と、蓋本体部と外蓋とよりなる蓋体とを備えた合成樹脂製シートよりなる食材用容器において、前記蓋本体部には、副食材を区画して収容するための区画部が形成され、前記外蓋は、一対の扉部と基体部とにより形成され、且つ、前記扉部は前記基体部に開閉可能に連結していると共に、前記基体部において前記外蓋が前記蓋本体部に固定されていることを特徴とするものである。なお、ここで言う「一対の」とは、必ずしも、対称位置にあったり、対称形状であったりすることを意味せず、二つあることを意味する。
【００１１】
上記構成によれば、容器本体に閉合される蓋体が、蓋本体部と外蓋とを備えるようにした。そして、外蓋を、一対の扉部とその扉部間を連結する基体部とにより形成すると共に、基体部に対して扉部を開閉可能に連結した。また、このように構成された外蓋が基体部を介して蓋本体部に固定されるようにした。
【００１２】
このため、一対の扉部のうちの一方の扉部を開く際に、他方の閉じた状態の扉部と共に蓋体を片手で持つことができる。そして、蓋体を持つ同じ手で、開かれた扉部を開いた状態で支えることができる。従って、例えば、蓋本体部の区画部に収容された複数の副食材から好みの副食材を選択して取り出すことを容易に行うことができる。
【００１３】
請求項２に記載の発明は、請求項１に記載の食材用容器において、前記蓋本体部には係合凹部が形成されると共に、前記外蓋の基体部には係合凸部が形成されて、前記係合凹部と係合凸部との係合により、前記外蓋が前記蓋本体部に固定されていることを特徴とするものである。
【００１４】
請求項３に記載の発明は、請求項１又は２に記載の食材用容器において、前記基体部は、長方形状をなすと共に、その長辺部分にヒンジ部が形成されて、前記一対の扉部と基体部とが前記ヒンジ部を介して連結していることを特徴とするものである。
【００１５】
請求項４に記載の発明は、請求項２又は３に記載の食材用容器において、前記係合凹部は、前記蓋本体部の天板部において、蓋本体部の中心を通る直線上の２ヶ所に形成され、また、前記係合凸部は、前記外蓋の基体部において、前記２ヶ所の係合凹部に係合可能な位置に形成されたことを特徴とするものである。
【００１６】
請求項５に記載の食材が収容された食材用容器の発明は、請求項１ないし４のうちいずれか一項に記載の食材用容器において、前記容器本体に前記主食材が収容されると共に、前記蓋本体部の区画部に前記副食材が収容されたことを特徴とするものである。
【００１７】
上記構成によれば、主食材に対して副食材を添加するために、片手で持つことが容易な蓋体を備えた食材用容器に、主食材及び副食材を収容するようにした。このため、この食材が収容された食材用容器を購入した人は、蓋体を容器本体から外すと共に、蓋体を片手で持ったまま、好みの副食材を、主食材に対して加えることを容易に行うことができる。
【発明の効果】
【００１８】
本発明によれば、容器本体に収容された主食材に対して、蓋体に収容された副食材を選択的に加える際、片手で持つことが容易な蓋体を備えた食材用容器を提供することができる。
【図面の簡単な説明】
【００１９】
【図１】第１実施形態の容器の構成を示す斜視図。
【図２】第１実施形態の容器の閉合状態における断面図。
【図３】第１実施形態の蓋本体部を示す平面図。
【図４】図３のＡ−Ａ矢視断面図。
【図５】図３のＢ−Ｂ矢視断面図。
【図６】第１実施形態の外蓋を示す平面図。
【図７】図６のＣ−Ｃ矢視断面図。
【図８】図６のＤ−Ｄ矢視断面図。
【図９】図６のＥ矢視図。
【図１０】第１実施形態の容器の使用状態を示す斜視図。
【図１１】第２実施形態の蓋本体部を示し、（ａ）は平面図、（ｂ）は（ａ）のＦ−Ｆ矢視断面図、（ｃ）は（ａ）のＧ−Ｇ矢視断面図。
【図１２】第２実施形態の外蓋を示し、（ａ）は平面図、（ｂ）は（ａ）のＨ−Ｈ矢視断面図、（ｃ）は（ａ）のＩ−Ｉ矢視断面図。
【図１３】第３実施形態の蓋本体部を示し、（ａ）は平面図、（ｂ）は（ａ）のＪ−Ｊ矢視断面図、（ｃ）は（ａ）のＫ−Ｋ矢視断面図、（ｄ）は（ａ）のＬ矢視図。
【図１４】第３実施形態の外蓋を示し、（ａ）は平面図、（ｂ）は（ａ）のＭ−Ｍ矢視断面図、（ｃ）は（ａ）のＯ−Ｏ矢視断面図、（ｄ）は（ａ）のＮ矢視図。
【発明を実施するための形態】
【００２０】
（第１の実施形態）
以下、本発明を具体化した実施形態を図１〜図１０を用いて説明する。
図１及び図２に示すように、本実施形態の食材用容器１は、容器本体２と、蓋本体部３と外蓋４とよりなる蓋体５とを備えている。容器本体２、蓋本体部３及び外蓋４のそれぞれは、プラスチック製シートの成形品である。このシートとしては、ソリッドシート及び発泡シートのいずれをも用いることができる。
【００２１】
容器本体２は、底板部２４と、段部２２を有する周壁部２１とにより丼鉢状に形成されている。周壁部２１の上縁は、外方及び下方へ曲げられて、逆Ｕ字状断面をなす環状の返部２３となっている。この返部２３と、後述する蓋本体部３の環状凸部３６とが係合することにより、容器本体２に対して外蓋４と共に蓋本体部３が閉合される。
【００２２】
図１及び図３〜図５に示すように、蓋本体部３は、環状縁部３４と、天板部３２と、隔壁３１により区画された区画部３０とによりトレー状に形成されている。
環状縁部３４の外縁から下方へ延出するように、下側の第１周壁部３５ａ及び上側の第２周壁部３５ｂよりなる周壁部が形成されている。第１周壁部３５ａと第２周壁部３５ｂとの間は段部３５ｃにより連接されている。第１周壁部３５ａの内側には、内方に突出する環状凸部３６が、円周方向に沿って形成されている。また、第２周壁部３５ｂの上端近傍の円周上２ヶ所には、外方へ突出する所定長さの凸部３８が、円周方向に沿って形成されている。この凸部３８の一つが、後述する摘部３９の直近に配置されている。
【００２３】
そして、第１周壁部３５ａの下端から外方へ延出するようにフランジ部３７が形成されると共に、更にその一部が外方へ延出して延出部３７ａが形成されている。また、その延出部３７ａの内側中央部に摘部３９が設けられている。この摘部３９を摘むことにより、環状凸部３６と容器本体２の返部２３との係合を外して、容器本体２に対して外蓋４と共に閉合している蓋本体部３の取り外しを容易に行うことができる。
【００２４】
一方、環状縁部３４の内側から内方へ延出するように、且つ、蓋本体部３の中心を通る直線に沿って、隔壁３１が２ヶ所に形成され、それらの間に天板部３２が設けられている。隔壁３１の頂面と天板部３２とは、同一高さに配置されると共に、外蓋４の形状に対応して環状縁部３４よりも低い位置に配置されている。そして、この天板部３２における前記直線に沿う方向において、且つ、蓋本体部３の中心に対して対称となる位置の２ヶ所に、裏面側に向かって凹む係合凹部３３が形成されている。この係合凹部３３は、図３及び図４に示すように、略平面四角形状をなしており、間口よりも広い底部３３ａと４ヶ所の側壁部３３ｂとにより下側への末広がり状に形成されている。
【００２５】
また、環状縁部３４の内側においては、複数箇所（本実施形態では７ヶ所）に形成された隔壁３１により区画部３０が形成されている。区画部３０は、底部３０ａと、環状縁部３４の内縁から下方へ延出した縁部側壁部３０ｂと、隔壁３１の壁部３０ｃとにより、種々形状の凹部として形成されている。
【００２６】
図１及び図６〜図９に示すように、外蓋４は、環状縁部４５と、外蓋４の中心を通る直線に沿って配置された長方形状の基体部４２と、基体部４２の長辺部分に形成されたヒンジ部４４を介して配置された一対の扉板部４１とを備えている。ヒンジ部４４は、断面略逆Ｖ字状の突条体である。
【００２７】
環状縁部４５は、天板部４５ａと、天板部４５ａの内縁から下方へ延出した内側壁４５ｂと、天板部４５ａの外縁から下方へ延出した外側壁４５ｃとを備えている。外側壁４５ｃの下端において、外蓋４の中心を通りヒンジ部４４に直交する方向における２ヶ所には、外方へ延出するように摘部４６が形成されている。また、それぞれの摘部４６の直近の外側壁４５ｃの内面には、内方に突出する所定長さの凸部４７が円周方向に沿って形成されている。
【００２８】
図６及び図９に示すように、２ヶ所のヒンジ部４４のそれぞれの延長線が交差する外側壁４５ｃの４ヶ所には、切欠部４８が形成されている。図６に示すように、このヒンジ部４４を含むそれぞれ２ヶ所の切欠部４８間を結ぶ仮想線４９のそれぞれの外側が一対の扉部４０を構成する。摘部４６を摘んで扉部４０を開閉する場合、この仮想線４９を中心に扉部４０が回動することになる。
【００２９】
図６〜図８に示すように、基体部４２には、基体部４２の長手方向に沿った中心線上に、且つ、外蓋４の中心に対して対称となる位置の２ヶ所に、裏面側に向かって突出する係合凸部４３が形成されている。この係合凸部４３は、底面部４３ａと、四つの側壁部４３ｂ、底面部４３ａと側壁部４３ｂとを連接する曲面４３ｃとにより略直方体状に形成されている。底面部４３ａは、根元の部分の断面積よりも広くなっている。このため、係合凸部４３は先広がり状になっている。
【００３０】
次に、蓋本体部３に外蓋４を固定させて蓋体５とした後、その蓋体５により容器本体２を閉合した状態の食材用容器１について説明する。
図２に示すように、外蓋４の２ヶ所の係合凸部４３が蓋本体部３の係合凹部３３に係合されることにより、蓋本体部３と外蓋４とにより蓋体５が形成される。このような２ヶ所の係合により、蓋本体部３と外蓋４との相対的回動が防止されている。また、この蓋体５においては、外蓋４の２ヶ所の凸部４７が、蓋本体部３の凸部３８に外嵌状態で係合しているので、外蓋４の一対の扉部４０は、扉部４０が開く方向に摘部４６を引き上げない限り、振動やはずみで開くことがない。従って、シュリンクフィルム等で食材用容器１の全体を包装したり、粘着テープ等を貼着したりすることは必ずしも必要ではない。
【００３１】
そして、容器本体２の返部２３に、蓋本体部３の段部３５ｃが載置されるようにして、容器本体２を蓋体５で閉合すれば、閉合状態の食材用容器１が形成される。この時、容器本体２の返部２３に対して、蓋本体部３の環状凸部３６が外嵌されるので、容器本体２から蓋体５が不用意に外れることはない。また、容器本体２から蓋体５を取り外すことは、蓋本体部３の摘部３９を引き上げることにより、容易に行われる。
【００３２】
次に、容器本体２に麺類又は米飯等の主食材を収容すると共に、蓋本体部３の複数の区画部３０に具材等の多種の副食材を収容した食材用容器１において、好みの副食材を主食材に加えて食する時の、食材用容器１の取り扱いについて説明する。
【００３３】
図１０に示すように、蓋体５を容器本体２から取り外した後、蓋体５に収容されている副食材を取り出すためには、蓋本体部３の凸部３８と外蓋４の凸部４７との係合状態を外して、一対の扉部４０のうちの一方の扉部４０を開く。この時、閉じたままの他方の扉部４０の扉板部４１と、区画部３０の底部３０ａとを片方の手で挟むようにして持つことができる。また、扉板部４１と底部３０ａとの間は適宜厚さとなっているので、手の小さな人であっても、扉部４０が閉じている側の蓋体５を難なく持つことができる。従って、蓋体５を安定した姿勢に保ちながら、扉部４０が開いている側の区画部３０から副食材を、好みの物を好みの量だけ、箸やスプーン等を用いて取り出すことを容易に行うことができる。
【００３４】
更に、他方の扉部４０が閉じた側の区画部３０から副食材を取り出すためには、一方の側の扉部４０を閉じて、その閉じた扉部４０の扉板部４１と底部３０ａとを手で支えるようにすれば、他方の扉部４０を開けて、副食材を取り出すことを容易に行うことができる。この場合、一方の側の区画部３０に取り出されずに残っていた副食材が零れ落ちることはない。
【００３５】
従って、上記実施形態によれば、以下のような効果を得ることができる。
（１）上記実施形態では、蓋本体部３と外蓋４とにより蓋体５を形成した。そして、蓋本体部３には複数の区画部３０を形成して、その区画部３０に具材等の副食材を収容できるようにした。また、蓋本体部３の環状凸部３６と、容器本体２の返部２３との係合により、容器本体２に対する蓋体５の閉合状態を維持できるようにした。このため、中蓋を設けた場合と異なり、容器本体２から蓋体５を取り外すだけで、副食材を蓋体５内に収容したまま、容器本体２に収容されている主食材を露出させることができる。
【００３６】
（２）上記実施形態では、外蓋４が蓋本体部３に対して基体部４２を介して固定されるようにした。また、一対の扉部４０を、それぞれが回動可能となるように基体部４２に連結した。このため、一方の扉部４０を開くことにより、蓋本体部３から具材等の副食材を、好みに応じて取り出すことを容易に行うことができる。また、この時、他方の扉部４０の扉板部４１と、その扉板部４１の裏側に当たる底部３０ａとを片方の手のみで持つことができる。従って、手の小さい人でも、容易に取り扱うことが可能な食材用容器１を提供することができる。
【００３７】
（３）上記実施形態では、蓋本体部３に対して外蓋４を固定させるために、蓋本体部３の係合凹部３３に、外蓋４の係合凸部４３を係合させるようにした。このため、蓋本体部３の天板部３２と外蓋４の基体部４２とを熱溶着で固定する場合と異なり、熱溶着のための設備や工数を省くことができるので、蓋体５の製造コストを低減することができる。
【００３８】
（４）上記実施形態では、外蓋４の外側壁４５ｃの４ヶ所に切欠部４８を設けた。そして、各切欠部４８が、２ヶ所のヒンジ部４４のそれぞれの延長線上に位置するようにした。このため、２ヶ所の切欠部４８を結ぶと共に、その間の天板部４５ａとヒンジ部４４とを含む仮想線４９を回動中心として、扉部４０の回動を容易に行うことができる。
【００３９】
（第２の実施形態）
次に、本発明を具体化した第２実施形態を、第１実施形態と異なる部分を中心に図１１及び図１２を用いて説明する。
【００４０】
図１１に示すように、本実施形態の蓋本体部３は、天板部３２において、裏面側に向かって凹む係合凹部５１が１ヶ所に形成されている。この係合凹部５１は、略直方体状に、且つ末広がり状に形成された第１凹部５２と、第１凹部５２の長手方向において、それぞれの端部に連結された直方体状の第２凹部５３とを備えている。
【００４１】
また、図１２に示すように、本実施形態の外蓋４は、基体部４２において、裏面側に向かって突出する係合凸部５５が１ヶ所に形成されている。この係合凸部５５は、略直方体状に、且つ先広がり状に形成された第１凸部５６と、第１凸部５６の長手方向において、それぞれの端部に連結された直方体状の第２凸部５７とを備えている。
【００４２】
蓋本体部３に対して外蓋４を固定させるために、前記係合凸部５５を係合凹部５１に係合させる際は、先ず、第２凹部５３に対する第２凸部５７の位置合わせが行われる。そして、係合凹部５１に係合凸部５５を内嵌合させれば、容易には離脱しない状態で、係合凹部５１に対して係合凸部５５が係合される。また、それぞれの第２凹部５３に対して第２凸部５７が挿入されているので、蓋本体部３と外蓋４との相対的な回動が防止される。
【００４３】
そして、この第２実施形態においては、第１の実施形態における効果に変えて、以下の効果を得ることができる。
（５）上記実施形態では、蓋本体部３の天板部３２の１ヶ所に形成した係合凹部５１に対して、外蓋４の基体部４２に形成した係合凸部５５を係合させるようにした。このため、天板部３２を比較的小さな面積とすることができるので、蓋本体部３における複数の区画部３０のそれぞれの容積を大きくすることができる。
【００４４】
（第３の実施形態）
次に、本発明を具体化した第３実施形態を、第１及び第２実施形態と異なる部分を中心に図１３及び図１４を用いて説明する。
【００４５】
図１３に示すように、本実施形態の蓋本体部３ａは、天板部３２の一部が、蓋本体部３ａの中心を通る直線に沿って外縁に至るように延在している。そして、その天板部３２において、図１３（ａ）における左右の外縁間に、裏面側に向かって凹む係合凹部６０が形成されている。この係合凹部６０は、中心側に位置する第１凹部６１と、第１凹部６１の両側に位置する第２凹部６２とを備えている。第１凹部６１は、間口６３よりも底部６１ａの方が幅広の溝である。一方、第２凹部６２は、間口６３と底部６２ａとが同一幅の溝である。そして、第１凹部６１と、２ヶ所の第２凹部６２とのそれぞれの境界６４には段差がある。
【００４６】
また、図１４に示すように、本実施形態の外蓋４ａは、外蓋４ａの中心を通る直線に沿って両外縁に至るように、裏面側に向かって突出する係合凸部６５が形成されている。この係合凸部６５は、基体部を構成すると共に、中心側に位置する第１凸部６６と、第１凸部６６の両側に位置する第２凸部６７とを備えている。第１凸部６６は、根元部６６ｂの幅よりも頂面部６６ａの幅の方が広くなっている。一方、第２凸部６７は、根元部６７ｂの幅と頂面部６７ａの幅とが同一となっている。そして、第１凸部６６と、２ヶ所の第２凸部６７とのそれぞれの境界６９には段差がある。本実施形態においては、一対の扉部４０の扉板部４１は、係合凸部６５の根元部６６ｂ及び根元部６７ｂに連接している。
【００４７】
蓋本体部３ａに対して外蓋４ａを固定させるために、前記係合凸部６５を係合凹部６０に係合させる際は、先ず、第１凹部６１に対する第１凸部６６の位置合わせが、境界６４と境界６９とを一致させることにより行われる。そして、第１凹部６１に第１凸部６６を内嵌合させると共に、第２凹部６２に第２凸部６７を挿入すれば、容易には離脱しない状態で、係合凹部６０に対して係合凸部６５が係合される。
【００４８】
この係合状態において、一対の扉部４０のいずれかを開く場合、開かれる扉部４０は係合凸部６５における根元部６６ｂ及び根元部６７ｂを中心に回動される。即ち、根元部６６ｂと根元部６７ｂとがヒンジ機能を有することになる。
【００４９】
そして、この第３実施形態においては、第１及び第２の実施形態における効果に変えて、以下の効果を得ることができる。
（６）上記実施形態では、外蓋４ａにおいて、外蓋４ａの中心を通る直線に沿って両外縁に至るように、裏面側に向かって突出する係合凸部６５を形成した。そして、この係合凸部６５を蓋本体部３ａの係合凹部６０に係合させて、外蓋４ａが蓋本体部３ａに固定されるようにした。このため、扉部４０を、係合凸部６５の根元部６６ｂ及び根元部６７ｂを中心に回動させることができる。また、第１凸部６６と第２凸部６７とのそれぞれにおいて、根元部６６ｂと根元部６７ｂとがヒンジ機能を有するので、ヒンジ部４４を別に設ける必要がない。従って、外蓋４ａの成形型の製作費を低減することができる。
【００５０】
（変更例）
なお、上記実施形態は、次のように変更して具体化することも可能である。
・  食材用容器１の形状を平面視略円形としたが、長円形、楕円形又は多角形とすること。
・  係合凹部３３、第１凹部５２の形状を平面視略四角形としたが、平面視円形、長円形又は楕円形とすること。この場合、係合凸部４３、第１凸部５６のそれぞれの形状を、係合凹部３３、第１凹部５２のそれぞれの形状に合わせる。
・  上記第１及び第２実施形態において、係合凹部３３と係合凸部４３とを係合させたり、第１凹部５２と第１凸部５６とを係合させたりしたが、これらの凹部及び凸部を設けずに、基体部４２の裏面と天板部３２とを熱溶着すること。
・  基体部４２が外蓋４の中心を通るように、或いは基体部としての係合凸部６５が外蓋４ａの中心を通るように、それぞれを配置したが、外蓋４、４ａの中心を外すように、基体部４２或いは係合凸部６５を配置すること。この場合、蓋本体部３、３ａの天板部３２も、蓋本体部３、３ａの中心を外して配置される。
【符号の説明】
【００５１】
１…食材用容器、２…容器本体、３，３ａ…蓋本体部、４，４ａ…外蓋、５…蓋体、３０…区画部、３２，４５ａ…天板部、３３，５１，６０…係合凹部、４０…扉部、４２…基体部、４３，５５，６５…係合凸部、４４…ヒンジ部。
【図１】
2012020781.tif 000003
【図２】
2012020781.tif 000004
【図３】
2012020781.tif 000005
【図４】
2012020781.tif 000006
【図５】
2012020781.tif 000007
【図６】
2012020781.tif 000008
【図７】
2012020781.tif 000009
【図８】
2012020781.tif 000010
【図９】
2012020781.tif 000011
【図１０】
2012020781.tif 000012
【図１１】
2012020781.tif 000013
【図１２】
2012020781.tif 000014
【図１３】
2012020781.tif 000015
【図１４】
2012020781.tif 000016